(57)【要約】【課題】  形状の小さな小物の場合でも商品の歩留まりが悪くなることなく、覗き窓の対向する位置に正確に絵模様を位置づけることができる覗き窓付小物を提供すること。【解決手段】  透明な本体と、この本体の周囲に転写される絵柄が印刷された転写フィルムとを有し、転写フィルムには覗き窓となる窓部と本体周囲に転写されたときに前記窓部と対向する位置に絵模様が描かれ、本体に転写フィルムの画像が転写されると、覗き窓から本体内部を通して絵模様が見える。【選択図】      図３
0003109445.tif 000002
【実用新案登録請求の範囲】
【請求項１】
透明な本体と、
前記本体の周囲に転写される絵柄が印刷された転写フィルムとを有し、
前記転写フィルムには覗き窓となる窓部と前記本体周囲に転写されたときに前記窓部と対向する位置に絵模様が描かれ、
前記本体に前記転写フィルムの画像が転写されると、前記覗き窓から前記本体内部を通して前記絵模様が見えることを特徴とする覗き窓付小物。
【請求項２】
請求項１に記載の覗き窓付小物において、前記本体は円筒形であり、前記絵模様はレンズ効果によって浮き出るように拡大して見えることを特徴とする覗き窓付小物。
【請求項３】
請求項１に記載の覗き窓付小物において、前記転写フィルムは全体が不透明なくもり状のフィルムに透明な覗き窓が形成されていることを特徴とする覗き窓付小物。
【請求項４】
透明な円筒形の光伝達部を備えた筆記具本体と、
前記光伝達部の周囲に転写される絵柄が印刷された転写フィルムと、
前記光伝達部に光りが伝達されるよう筆記具本体に内蔵された光源と、
前記光源の点灯または消灯操作をおこなう前記筆記具本体に取り付けられたスイッチとを有し、
前記転写フィルムには覗き窓となる窓部と前記光伝達部周囲に絵柄が転写されたときに前記窓部と対向する位置に絵模様が描かれ、前記本体に前記転写フィルムの画像が転写されると、前記覗き窓から前記光伝達部の内部を通して前記絵模様が見えることを特徴とする筆記具。
【請求項５】
請求項４に記載の筆記具において、前記光源は前記スイッチの操作によって複数の点灯のバリエーションを有することを特徴とする筆記具。
【請求項６】
透明な本体と、
前記本体の周囲に巻き付けられる印刷媒体とを有し、
前記印刷媒体には覗き窓となる窓部と前記本体周囲に巻き付けられたときに前記窓部と対向する位置に絵模様が描かれ、
前記覗き窓から前記本体内部を通して前記絵模様が見えることを特徴とする覗き窓付小物。
【考案の詳細な説明】
【技術分野】
【０００１】
本考案は覗き窓付小物、より具体的には覗き窓を備えた筆記具、アクセサリ、ペンライト、キーホルダまたはストラップ等の小物に関する。
【背景技術】
【０００２】
例えば焼酎、ワインまたは日本酒等において、酒瓶の側面に円形の覗き窓を形成し、その覗き窓から対向する位置に描かれた絵模様を見るという商品が市販されている。覗き窓から酒瓶の中の透明な液体を通して対向した位置に描かれた絵模様を見ると、レンズ効果によって浮き出るように拡大して見える。このため、単に瓶側面に絵模様を印刷した場合に比べて、絵模様をダイナミックで魅力的に鑑賞することができ、商品そのものの付加価値が増すとともに他の商品との差別化が図れるという効果があった。
【考案の開示】
【考案が解決しようとする課題】
【０００３】
このような酒瓶の場合は比較的大きな形状であるため、シルク印刷等で側面を印刷しても、覗き窓の対向する位置に絵模様を正確に位置づけることがそれ程困難ではなかった。しかしながら、これを形状の小さな小物に適用しようとすると、シルク印刷等で側面を印刷するやり方では、覗き窓の対向する位置に正確に絵模様を位置づけることが困難であり、商品の歩留まりが悪くなるという問題があった。
【０００４】
本考案はこのような従来技術の課題を解決し、形状の小さな小物の場合でも商品の歩留まりが悪くなることなく、覗き窓の対向する位置に正確に絵模様を位置づけることができる覗き窓付小物を提供することを目的とする。
【課題を解決するための手段】
【０００５】
本考案は上記課題を解決するための手段として、請求項１に記載された考案は、透明な本体と、この本体の周囲に転写される絵柄が印刷された転写フィルムとを有し、転写フィルムには覗き窓となる窓部と本体周囲に転写されたときに前記窓部と対向する位置に絵模様が描かれ、本体に転写フィルムの画像が転写されると、覗き窓から本体内部を通して絵模様が見える。また、請求項２に記載された考案は、覗き窓付小物において、本体は円筒形であり、絵模様はレンズ効果によって浮き出るように拡大して見える。また、請求項３に記載された考案は、覗き窓付小物において、転写フィルムは全体が不透明なくもり状のフィルムに透明な覗き窓が形成されている。また、請求項４に記載された考案は、周囲が透明な円筒形の光伝達部を備えた筆記具本体と、光伝達部の周囲に転写される絵柄が印刷された転写フィルムと、光伝達部に光りが伝達されるよう筆記具本体に内蔵された光源と、この光源の点灯または消灯操作をおこなう筆記具本体に取り付けられたスイッチとを有し、転写フィルムには覗き窓となる窓部と光伝達部周囲に絵柄が転写されたときに前記窓部と対向する位置に絵模様が描かれ、本体に転写フィルムの画像が転写されると、覗き窓から光伝達部を通して絵模様が見える。また、請求項５に記載された考案は、筆記具において、光源はスイッチの操作によって複数の点灯のバリエーションを有する。また、請求項６に記載された考案は、本体と、本体の周囲に巻き付けられる印刷媒体とを有し、印刷媒体には覗き窓となる窓部と本体周囲に巻き付けられたときに前記窓部と対向する位置に絵模様が描かれ、覗き窓から本体内部を通して絵模様が見える。
【考案の効果】
【０００６】
本考案によれば、転写フィルムまたは印刷媒体に覗き窓およびこれより見る絵模様を印刷し、形状の小さな小物に画像を転写または印刷媒体を巻き付けるようにしたので、従来では製造が困難であった小物でも覗き窓を付けた商品を高い歩留まりで製造することが可能となる。また、筆記具に電球を内蔵して覗き窓付小物と組み合わせると、外観的な美しさだけではなく実用性にも富んだ商品の提供が可能となる。
【考案を実施するための最良の形態】
【０００７】
次に添付図面を参照して本考案による覗き窓付小物の実施の形態を詳細に説明する。
本実施の形態では、小物に対して直接シルク印刷等を施こして覗き窓や絵模様を形成するのではなく、あらかじめ転写フィルム等に覗き窓や絵模様等を形成し、これら画像を小物の周囲に転写することを特徴としている。
図１は小物に覗き窓や絵模様の画像を転写する転写フィルムの一例を示したものである。転写フィルム１０は、透明な覗き窓１２とこの覗き窓から見る長円形の絵模様１４が描かれており、それ以外の周辺部分１６には商品名や図柄を描くこともできるがここでは不透明の白濁の色調になっている。なお、覗き窓１２と絵模様１４はこれらが転写されたときに対向する位置になるよう位置決めされている。
【０００８】
また、絵模様１４は覗き窓１２から見たときに概ね正円形になるように縦長の長円形に描かれている。なお、絵模様１４はこの例では富士山と海とを描いたが特にこれに限定されるものではなく、例えば霞みや雲の風景または桜の花、さらには各種のキャラクタ等であってもよいが、絵模様１４と同様に覗き窓１２から見たときに横幅が拡大されて見えるのでこれを考慮して描く必要がある。
図２は円筒形の本体２０に転写フィルム１０を巻き付け、覗き窓１２，絵模様１４および周辺部分１６を小物に転写するときの状態を示したものである。小物２０は、転写フィルム１０が巻き付けられる周囲や上面２２および底面２４は透明な素材で形成されている。転写フィルム１０は転写が完了すると本体２０からはがされて取り除かれる。
【０００９】
図３は本体２０に覗き窓１２，絵模様１４および周辺部分１６の転写が完了した覗き窓付小物３０の正面図である。本体２０の直径から覗き窓１２と絵模様１４との対向する位置が容易に算出できるので、転写フィルム１０にこれら画像を印刷すれば位置がずれることはない。覗き窓１２から絵模様１４を見たとき、覗き窓１２の曲面によるレンズ効果により、絵模様１４が浮き出るように拡大して見ることができる。
【００１０】
転写フィルム１０は平面のため、覗き窓１２と絵模様１４とが対向する位置になるように印刷することは容易であり、本体２０に転写したときに位置ずれがなく高い歩留まりを維持できる。一方、シルク印刷等で直接本体２０に覗き窓１２と絵模様１４とを印刷しようとした場合、本体２０が小さくかつ曲面であるため、高度な印刷技術をもってしてもこれらを正確に対向する位置に印刷することは容易ではない。このため、位置ずれが発生して歩留まりが悪くなり生産性が低下するという問題があった。
【００１１】
図３に示した覗き窓付小物３０は、アクセサリ、ペンライト、キーホルダまたは携帯電話のストラップ等の様々な小物に適用することができるが、ここではペンライト付筆記具に適用した実施の形態を説明する。
図４は覗き窓付小物３０を光伝達部として機能するペンライト付筆記具４０の斜視図を示したものである。また、図５はペンライト筆記具４０の分解斜視図を示したものである。以下、図４および図５を用いてペンライト付筆記具４０を説明する。
【００１２】
ペンライト付筆記具４０は、ボールペン、シャープペンシルまたはこれら両方の機能を兼ね備えた、電球が内蔵された筆記具である。覗き窓付小物３０の上面側周囲に取り付けられたクリップ４２は、胸ポケットやノート等に筆記具４０を差し込んだ際にこれらを挟持して固定するクリップである。覗き窓付小物３０は胴部４６に固着されており、この胴部４６にはスイッチ４７が取り付けられている。
【００１３】
スイッチ４７は胴部４６の内部に組み込まれている電球５０のスイッチである。胴部４６の内部にはまた、電球５０の電源である３つのボタン電池５２a,５２b,５２cが直列接続になるように格納されている。なお、本実施の形態では電池の数を３個としたが電池の個数はこれ以上でもこれ以下であっても良い。先端部４８は回転させることによって内臓されたボールペン等を取り出したり、引っ込めたりする筆記部である。
【００１４】
図６および図７は図４および図５に示したペンライト付筆記具４０の電気回路図およびその動作を示す状態遷移図である。図７に示すように本実施の形態では、スイッチ４７の内部にICが内臓され（図示せず）、これを押す度に早い点滅（１）→遅い点滅（２）→点灯（３）→消灯（４）を繰り返す。
【００１５】
スイッチ４７を操作して電球５０を点滅または点灯させると、電球５０側の底面２４が透明素材で形成されているので覗き窓付小物３０全体が点滅または点灯し、覗き窓１２に写った絵模様１４とのコンビネーションによりさらに魅力的になり、見た目にも美しく楽しむことができる。
【００１６】
また、携帯性にも優れ、筆記具として利用できるだけでなく、電球を点灯または点滅させることで例えばコンサート会場等で使用したり、透明素材で形成された上面２２から光が放射されるのでペンライトとしての利用も可能である。このようにペンライト付筆記具４０は見た目に美しいだけでなく実用性にも優れている。
【００１７】
なお、本実施の形態では転写フィルム１０に描かれた画像を本体２０に転写するとしたが、特に転写フィルムに限定されるものではなく、他の印刷媒体に覗き窓１２や絵模様１４を描き、これを本体２０に巻き付けてもよい。また、覗き窓付小物は本実施の形態では円筒形としたが本考案は特に円筒形に限定されるものではなく、例えば円錐形等であってもよい。
【００１８】
また、スイッチ４７にICを内臓させて電球５０を赤，緑，青の３色の発光ダイオードにすることで７色に光るようにすることも可能である。また、スイッチ４７にICを内臓せず、単にスイッチ４７を押すと点灯、離すと消灯であってもよい。さらに、対向する絵模様を見ることができれば本体表面を着色してもよい。
【図面の簡単な説明】
【００１９】
【図１】図１は転写フィルムの一例を示した概観図である。
【図２】図２は転写フィルムを本体に巻き付けたときの状態を示した説明図である。
【図３】図２に示した転写フィルムの画像を本体に転写した覗き窓付小物の正面図である。
【図４】覗き窓付小物をペンライト付筆記具に適用したときの斜視図である。
【図５】ペンライト付筆記具の分解斜視図である。
【図６】ペンライト付筆記具の回路図である。
【図７】ペンライト付筆記具の電球の動作を説明した状態遷移図である。
【符号の説明】
【００２０】
１０  転写フィルム
１２  覗き窓
１４  絵模様
１６  周辺部分
２０  本体
３０  覗き窓付小物
４０  ペンライト付筆記具
４２  クリップ
４６  胴部
４７  スイッチ
４８  先端部
５０  電球
５２  ボタン電池
【図１】
0003109445.tif 000003
【図２】
0003109445.tif 000004
【図３】
0003109445.tif 000005
【図４】
0003109445.tif 000006
【図５】
0003109445.tif 000007
【図６】
0003109445.tif 000008
【図７】
0003109445.tif 000009